(57)【要約】【課題】本発明は、プラズマディスプレイ装置に備えられるパネルにおいて、ＩＴＯからなる透明電極を除去してパネルの製造コストを減少させることができるプラズマディスプレイ装置を提供するためのものである。【解決手段】本発明は、上部基板と、前記上部基板上に形成される第１電極及び第２電極と、前記上部基板と対向して配置される下部基板と、前記下部基板上に形成される第３電極と、前記下部基板上に形成されて放電セルを区切る隔壁を含んで構成されるプラズマディスプレイ装置であって、前記第１、２電極のうち、少なくとも１つは単一層（one layer）で形成され、前記隔壁は感光性材料を用いて形成され、前記感光性材料はガラス粒子を含む無機成分と、感光性化合物を含む有機成分を含むことを特徴とする。【選択図】図２
2007329117.tif 000002
【特許請求の範囲】
【請求項１】
上部基板と、前記上部基板上に形成される第１電極及び第２電極と、前記上部基板と対向して配置される下部基板と、前記下部基板上に形成される第３電極と、前記下部基板上に形成されて放電セルを区切る隔壁を含んで構成されるプラズマディスプレイ装置であって、
前記第１、２電極のうち、少なくとも１つは単一層（one layer）で形成され、
前記隔壁は感光性材料を用いて形成され、前記感光性材料はガラス粒子を含む無機成分と、感光性化合物を含む有機成分を含むことを特徴とするプラズマディスプレイ装置。
【請求項２】
前記第１、２電極のうち、少なくとも１つは、
前記第３電極と交差する方向に形成されたライン部と、
前記ライン部から突出した突出部と、
を含むことを特徴とする請求項１記載のプラズマディスプレイ装置。
【請求項３】
前記無機成分は、
前記ガラス粒子を６０重量％以上含むことを特徴とする請求項１記載のプラズマディスプレイ装置。
【請求項４】
前記無機成分の平均屈折率と前記有機成分の平均屈折率との差は０．２以下であることを特徴とする請求項１記載のプラズマディスプレイ装置。
【請求項５】
前記無機成分の平均屈折率は１．５乃至１．６５であることを特徴とする請求項１記載のプラズマディスプレイ装置。
【請求項６】
前記隔壁の上幅は３０乃至５０μｍであることを特徴とする請求項１記載のプラズマディスプレイ装置。
【請求項７】
前記隔壁の下幅は６０乃至８０μｍであることを特徴とする請求項１記載のプラズマディスプレイ装置。
【請求項８】
前記隔壁の高さは１００乃至１４０μｍであることを特徴とする請求項１記載のプラズマディスプレイ装置。
【請求項９】
前記隔壁の誘電率は６乃至１０Ｆ／ｍであることを特徴とする請求項１記載のプラズマディスプレイ装置。
【請求項１０】
前記上部基板と下部基板のうち、少なくとも１つの基板上に３０乃至４０μｍの厚さを有する誘電体層が形成されていることを特徴とする請求項１記載のプラズマディスプレイ装置。
【請求項１１】
前記上部基板と下部基板のうち、少なくとも１つの基板上に誘電体層が形成されており、
前記隔壁の上幅と前記誘電体層の厚さは５：３乃至３：４の比率を有することを特徴とする請求項１記載のプラズマディスプレイ装置。
【請求項１２】
前記上部基板と下部基板のうち、少なくとも１つの基板上に誘電体層が形成されており、
前記隔壁の下幅と前記誘電体層の厚さは８：３乃至３：２の比率を有することを特徴とする請求項１記載のプラズマディスプレイ装置。
【請求項１３】
前記上部基板と下部基板が結合して形成されるプラズマディスプレイパネルは、０．１重量％または１０００ＰＰＭ以下の鉛（Ｐｂ）を含むことを特徴とする請求項１記載のプラズマディスプレイ装置。
【請求項１４】
前記無機成分は酸化チタニウム（ＴｉＯ２）を含むことを特徴とする請求項１記載のプラズマディスプレイ装置。
【請求項１５】
前記ガラス粒子は、酸化リチウム、酸化ナトリウム及び酸化カリウムのうち、少なくとも１つを３乃至２０重量％含むことを特徴とする請求項１記載のプラズマディスプレイ装置。
【請求項１６】
前記ガラス粒子は、酸化ビズマス（bismuth）、酸化鉛のうち、少なくとも１つを５乃至５０重量％含むことを特徴とする請求項１記載のプラズマディスプレイ装置。
【請求項１７】
前記ガラス粒子は、酸化ビズマス（bismuth）、酸化鉛のうち、少なくとも１つを５乃至３０重量％含み、酸化リチウム、酸化ナトリウム及び酸化カリウムのうち、少なくとも１つを３乃至１５重量％含むことを特徴とする請求項１記載のプラズマディスプレイ装置。
【請求項１８】
前記上部基板上に誘電体層が形成されており、
前記第１、２電極のうち、少なくとも１つは、
前記誘電体層より色が暗いことを特徴とする請求項１記載のプラズマディスプレイ装置。
【請求項１９】
上部基板と、前記上部基板上に形成される第１電極及び第２電極と、前記上部基板と対向して配置される下部基板と、前記下部基板上に形成される第３電極と、前記下部基板上に形成されて放電セルを区切る隔壁とを含んで構成されるプラズマディスプレイ装置であって、
前記第１、２電極のうち、少なくとも１つは単一層（one layer）で形成され、
前記隔壁は感光性材料を用いて形成され、前記感光性材料はガラス粒子を含む無機成分と、感光性化合物を含む有機成分とを含み、前記無機成分の平均屈折率と前記有機成分の平均屈折率との差は−０．１乃至０．２であることを特徴とするプラズマディスプレイ装置。
【請求項２０】
上部基板と、前記上部基板上に形成される第１電極及び第２電極と、前記上部基板と対向して配置される下部基板と、前記下部基板上に形成される第３電極と、前記下部基板上に形成されて放電セルを区切る隔壁とを含んで構成されるプラズマディスプレイ装置であって、
前記第１、２電極のうち、少なくとも１つは単一層（one layer）で形成され、前記第３電極と交差する方向に形成されたライン部と、前記ライン部から突出した突出部とを含み、
前記隔壁は感光性材料を用いて形成され、前記感光性材料は平均屈折率が１．５乃至１．６５である無機成分を含むことを特徴とするプラズマディスプレイ装置。
【発明の詳細な説明】
【技術分野】
【０００１】
本発明は、プラズマディスプレイ（Plasma Display）装置に関し、より詳しくは、プラズマディスプレイ装置に備えられるパネル（Panel）に関する。
【背景技術】
【０００２】
プラズマディスプレイパネルは、上部基板と下部基板との間に形成された隔壁が１つの単位セルをなすものであって、各セル内にはネオン（Ｎｅ）、ヘリウム（Ｈｅ）、または、ネオン及びヘリウムの混合気体（Ｎｅ＋Ｈｅ）のような主放電気体と少量のキセノンを含有する不活性ガスが充填されている。高周波電圧により放電される際、不活性ガスは真空紫外線（Vacuum Ultraviolet rays）を発生し、隔壁間に形成された蛍光体を発光させて画像が具現される。このようなプラズマディスプレイパネルは、薄くて軽い構成が可能であるので、次世代表示装置として脚光を浴びている。
【０００３】
図１は、一般的なプラズマディスプレイパネルの構造を示す図である。図１に示すように、プラズマディスプレイパネルは、画像がディスプレイされる表示面である上部基板１０１上にスキャン電極１０２及びサステイン電極１０３が対を成して形成された複数の維持電極対が配列された上部パネル１００及び背面をなす下部基板１１１上に複数の前記維持電極対が交差するように複数のアドレス電極１１３が配列された下部パネル１１０が一定距離を間に置いて平行するように結合される。
【０００４】
上部パネル１００は、透明なＩＴＯ（Indium Tin Oxide）で形成された透明電極１０２ａ、１０３ａとバス電極１０２ｂ、１０３ｂとからなるスキャン電極１０２及びサステイン電極１０３が対を成して含まれる。スキャン電極１０２及びサステイン電極１０３は、上部誘電体層１０４により覆われ、上部誘電体層１０４上には保護層１０５が形成される。
【０００５】
下部パネル１１０は放電セルを区切るための隔壁１１２が含まれる。また、複数のアドレス電極１１３が隔壁１１２に対し平行するように配置される。アドレス電極１１３上にはＲ（Red）、Ｇ（Green）、Ｂ（Blue）蛍光体１１４が塗布される。アドレス電極１１３と蛍光体１１４との間には下部誘電体層１１５が形成される。
【０００６】
一方、従来のプラズマディスプレイパネルのスキャン電極１１、または、サステイン電極１２を構成する透明電極１１ａ、１２ａは、高価のＩＴＯ（Indium Tin Oxide）からなる。透明電極１１ａ、１２ａは、プラズマディスプレイパネルの製造コストを上昇させる原因となっている。したがって、最近には製造費用を減らしながら使用者が視聴するに充分の視感特性及び駆動特性などを確保することができるプラズマディスプレイパネルを製造することに主眼点をおいている。
【発明の開示】
【発明が解決しようとする課題】
【０００７】
本発明は、前記した従来技術の問題点を解決するために案出したものであって、本発明は、プラズマディスプレイ装置に備えられるパネルにおいて、ＩＴＯからなる透明電極を除去してパネルの製造コストを低減させることができるプラズマディスプレイ装置を提供することをその目的とする。
【課題を解決するための手段】
【０００８】
このために、本発明によるプラズマディスプレイ装置は、上部基板と、前記上部基板上に形成される第１電極及び第２電極と、前記上部基板と対向して配置される下部基板と、前記下部基板上に形成される第３電極と、前記下部基板上に形成されて放電セルを区切る隔壁とを含んで構成され、前記第１、２電極のうち、少なくとも１つは単一層（one layer）で形成され、前記隔壁は感光性材料を用いて形成され、前記感光性材料はガラス粒子を含む無機成分と、感光性化合物を含む有機成分とを含むことを特徴とする。
【０００９】
好ましくは、前記第１、２電極のうち、少なくとも１つは、前記第３電極と交差する方向に形成されたライン部と、前記ライン部から突出した突出部と、を含む。
【００１０】
前記無機成分は、前記ガラス粒子を６０重量％以上含むことが好ましいのであり、前記無機成分の平均屈折率と前記有機成分の平均屈折率との差は０．２以下であることが好ましい。また、前記無機成分の平均屈折率は１．５乃至１．６５であることが好ましい。
【００１１】
前記隔壁の上幅は３０乃至５０μｍであり、前記隔壁の下幅は６０乃至８０μｍであり、前記隔壁の高さは１００乃至１４０μｍであることが好ましい。
【００１２】
好ましくは、前記隔壁の誘電率は６乃至１０Ｆ／ｍであることが好ましいのであり、前記上部基板と下部基板のうち、少なくとも１つの基板上に３０乃至４０μｍの厚さを有する誘電体層が形成されていることが好ましい。
【００１３】
前記隔壁の上幅と前記誘電体層の厚さは５：３乃至３：４の比率を有することが好ましいのであり、前記隔壁の下幅と前記誘電体層の厚さは８：３乃至３：２の比率を有することが好ましい。好ましくは、前記上部基板と下部基板が結合して形成されるプラズマディスプレイパネルは、０．１重量％または１０００ＰＰＭ以下の鉛（Ｐｂ）を含む。
【００１４】
前記感光性材料は、５０乃至９６重量％の無機成分と５乃至５０重量％の有機成分とを含むことが好ましいのであり、前記無機成分は酸化チタニウム（ＴｉＯ２）を含むことが好ましい。前記ガラス粒子は、酸化リチウム、酸化ナトリウム及び酸化カリウムのうち、少なくとも１つを３乃至２０重量％含んだり、酸化ビズマス（bismuth）、酸化鉛のうち、少なくとも１つを５乃至５０重量％含むことが好ましい。
【００１５】
好ましくは、前記ガラス粒子は、酸化ビズマス（bismuth）、酸化鉛のうち、少なくとも１つを５乃至３０重量％含み、酸化リチウム、酸化ナトリウム及び酸化カリウムのうち、少なくとも１つを３乃至１５重量％含む。前記上部基板上に誘電体層が形成されており、前記第１、２電極のうち、少なくとも１つは、前記誘電体層より色が暗いことが好ましい。
【００１６】
本発明により他のプラズマディスプレイ装置は、上部基板と、前記上部基板上に形成される第１電極及び第２電極と、前記上部基板と対向して配置される下部基板と、前記下部基板上に形成される第３電極と、前記下部基板上に形成されて放電セルを区切る隔壁とを含んで構成され、前記第１、２電極のうち、少なくとも１つは単一層（one layer）で形成され、前記隔壁は感光性材料を用いて形成され、前記感光性材料はガラス粒子を含む無機成分と、感光性化合物を含む有機成分とを含み、前記無機成分の平均屈折率と前記有機成分の平均屈折率との差は−０．１乃至０．２であることを特徴とする。
【００１７】
本発明による更に他のプラズマディスプレイ装置は、上部基板と、前記上部基板上に形成される第１電極及び第２電極と、前記上部基板と対向して配置される下部基板と、前記下部基板上に形成される第３電極と、前記下部基板上に形成されて放電セルを区切る隔壁とを含んで構成され、前記第１、２電極のうち、少なくとも１つは単一層（one layer）で形成され、前記第３電極と交差する方向に形成されたライン部と、前記ライン部から突出した突出部とを含み、前記隔壁は感光性材料を用いて形成され、前記感光性材料は平均屈折率が１．５乃至１．６５である無機成分を含むことを特徴とする。
【発明の効果】
【００１８】
本発明に係るプラズマディスプレイ装置によれば、ＩＴＯ（Indium Tin Oxide）からなる透明電極を除去してプラズマディスプレイパネルの製造コストを減少させることができ、スキャン電極またはサステイン電極ラインから放電セルの中心方向、または、その反対方向に突出する突出電極を形成させることによって、放電開始電圧を低め、放電セル内の放電拡散効率を高めることができる。
【発明を実施するための最良の形態】
【００１９】
以下、添付した図面を参照しつつ本発明に係るプラズマディスプレイ装置に関して詳細に説明する。
【００２０】
但し、本発明に係るプラズマディスプレイ装置は、本明細書に記載された実施形態に限るのでなく、多数個の実施形態が存在できることを明示する。
【００２１】
以下、添付した図２乃至図１７を参照して本発明に係るプラズマディスプレイ装置に関して詳細に説明する。図２は、本発明に係るプラズマディスプレイ装置に備えられるパネルに対する一実施形態を斜視図として図示したものである。
【００２２】
図２を参照すれば、プラズマディスプレイパネルは、所定の間隔を置いて合着する上部パネル２００と下部パネル２１０とを含む。維持電極対２０２、２０３に交差する方向に下部基板２１１上に形成されるアドレス電極２１３と、下部基板２１１上に形成され、複数の放電セルを区切る隔壁２１２とを含む。
【００２３】
上部パネル２００は、上部基板２０１上に対をなして形成される維持電極対２０２、２０３を含む。維持電極対２０２、２０３は、その機能によってスキャン電極２０２とサステイン電極２０３とに分けられる。維持電極対２０２、２０３は、放電電流を制限し、電極対間を絶縁させる上部誘電体層２０４により覆われ、上部誘電体層２０４の上面には保護膜層２０５が形成されて、ガス放電時に発生する荷電粒子のスパッタリングから上部誘電体層２０４を保護し、２次電子の放出効率を高めることになる。
【００２４】
上部基板２０１、下部基板２１１及び隔壁２１２間に設けられた放電空間には放電ガスが注入される。前記放電ガスには、キセノン（Ｘｅ）が１０％以上含まれることが好ましい。前記キセノン（Ｘｅ）が前記のような混合比を持って放電ガスに含まれる場合、プラズマディスプレイパネルの放電／発光効率及び輝度を向上させることができる。
【００２５】
下部パネル２１０は、下部基板２１１上に複数個の放電空間、即ち、放電セルを区切る隔壁２１２が形成される。また、アドレス電極２１３が維持電極対２０２、２０３に交差する方向に配置され、下部誘電体層２１５と隔壁２１２の表面にはガス放電時に発生された紫外線により発光されて可視光が発生される蛍光体２１４が塗布される。
【００２６】
この際、隔壁２１２は、アドレス電極２１３と並んでいる方向に形成された縦隔壁２１２ａと、アドレス電極２１３と交差する方向に形成された横隔壁２１２ｂで構成され、放電セルを物理的に区分し、放電により生成された紫外線と可視光が隣接した放電セルに漏洩することを防止する。
【００２７】
また、本発明に係るプラズマディスプレイパネルにおいて、維持電極対２０２、２０３は、図１に図示された従来の維持電極対１０２、１０３と異なり、不透明な金属電極だけでなされる。即ち、従来の透明電極材質であるＩＴＯは使用しないで、従来のバス電極の材質である銀（Ａｇ）、銅（Ｃｕ）またはクロム（Ｃｒ）等を使用して維持電極対２０２、２０３を形成する。即ち、本発明に係るプラズマディスプレイパネルの維持電極対２０２、２０３の各々は、従来のＩＴＯ電極を含まなくて、バス電極１つの単一層（one layer）からなる。
【００２８】
例えば、本発明の実施形態に係る維持電極対２０２、２０３の各々は銀で形成されることが好ましくて、銀（Ａｇ）は感光性性質を有することが好ましい。また、本発明の実施形態に係る維持電極対２０２、２０３の各々は、上部基板２０１に形成される上部誘電体層２０４または下部誘電体層２１５より色がより暗くて、光の透過度がより低い性質を有することが好ましい。
【００２９】
前記放電セルは、Ｒ（Red）、Ｇ（Green）、Ｂ（Blue）の各々の蛍光体層２１４は幅（pitch）が互いに同一な対称構造であるとか、幅（pitch）が互いに異なる非対称構造でありうる。放電セルが非対称構造を有する場合、Ｒ（Red）セルの幅＜Ｇ（Green）セルの幅＜Ｂ（Blue）セルの幅の大きさ順を有するようにするのを好ましい。
【００３０】
図２に示すように、１つの放電セル内に維持電極２０２、２０３が各々複数個の電極ラインで形成されることが好ましい。即ち、第１維持電極２０２が２つの電極ライン２０２ａ、２０２ｂで形成され、第２維持電極２０３が放電セルの中心を基準に第１維持電極２０２と対称に配列され、２つの電極ライン２０３ａ、２０３ｂで形成されることが好ましい。前記第１、２維持電極２０２、２０３は、各々スキャン電極とサステイン電極であることが好ましい。これは、不透明な維持電極対２０２、２０３を使用することによる開口率と放電拡散効率を考慮したものである。即ち、開口率を考慮して狭い幅を有する電極ラインを使用する一方、放電拡散効率を考慮して複数個の電極ラインを使用する。この際、電極ラインの個数は開口率と放電拡散効率を同時に考慮するようにして決定されることが好ましい。
【００３１】
図２に図示された構造は、本発明に係るプラズマパネルの構造に対する一実施形態に過ぎないので、本発明は図２に図示されたプラズマディスプレイパネル構造に限るのではない。例えば、外部で発生する外部光を吸収して反射を減らしてやる光遮断機能と上部基板２０１のピューリティ（Purity）及びコントラストを向上させる機能をするブラックマトリックス（Black Matrix、ＢＭ）が上部基板２０１上に形成されることができ、前記ブラックマトリックスは分離型及び一体型ＢＭ構造が共に可能である。ここで、分離型ＢＭは維持電極２０２、２０３と上部基板２０１との間に形成される層（Black Layer）とブラックマトリックスが連結されていない構造であり、一体型ＢＭは上記層とブラックマトリックスが連結されて一体型をなしている構造を意味する。また、分離型ＢＭが形成される場合、ブラックマトリックスと上記層は異なる材質で形成されることができ、一体型ＢＭが形成される場合、ブラックマトリックスと前記層は同一な材質で形成されることができる。
【００３２】
また、図２に図示されたパネルの隔壁構造は、縦隔壁２１２ａと横隔壁２１２ｂにより放電セルが閉鎖構造を有するクローズタイプ（Close Type）を表しているが、縦隔壁のみを含むストライプタイプ（Stripe Type）または縦隔壁上に所定の間隔を置いて突出部が形成されたフィッシュボーン（Fish Bone）などの構造も可能である。
【００３３】
本発明の一実施形態は、図２に図示された隔壁の構造だけでなく、多様な形状の隔壁の構造も可能であるはずである。例えば、縦隔壁２１２ａと横隔壁２１２ｂの高さが異なる差等型隔壁構造、縦隔壁２１２ａまたは横隔壁２１２ｂのうち、１つ以上に排気通路として使用可能なチャンネル（Channel）が形成されたチャンネル型隔壁構造、縦隔壁２１２ａまたは横隔壁２１２ｂのうち、１つ以上に溝（Hollow）が形成された溝型隔壁構造などが可能であるはずである。ここで、差等型隔壁構造である場合には、横隔壁２１２ｂの高さが高いことがより好ましくて、チャンネル型隔壁構造や溝型隔壁構造である場合には、横隔壁２１２ｂにチャンネルが形成されたり溝が形成されることが好ましいはずである。
【００３４】
一方、本発明の一実施形態ではＲ、Ｇ及びＢ放電セルの各々が同一な線上に配列されることと図示及び説明されているが、他の形状で配列されることも可能である。例えば、Ｒ、Ｇ及びＢ放電セルが三角形状で配列されるデルタ（Delta）タイプの配列も可能である。また、放電セルの形状も四角形状だけでなく、五角形、六角形などの多様な多角形状も可能であるはずである。
【００３５】
図３は、本発明に係る隔壁が形成された下板パネル構造に対する一実施形態を示す概略断面図である。図２を参考にして説明したように、下部基板２１１上にアドレス電極２１３、下部誘電体層２１５、隔壁２１２及び蛍光体層２１４が形成されている。
【００３６】
前記したように、プラズマディスプレイパネルの開口率の確保のために、２つの維持電極２０２、２０３間の間隔を増加させることにより、放電セルの幅（pitch）が増加することになるので、パネル当り要求されるピクセル数を確保するために、隔壁２１２の上幅（Ｘ）を３０乃至５０μｍに、下幅（Ｙ）を６０乃至８０μｍで形成させ、隔壁２１２の誘電率が６乃至１０Ｆ／ｍになるようにし、隔壁２１２の高さは１００乃至１４０μｍになるようにすることが好ましい。
【００３７】
上記のように隔壁２１２の幅が減少することによって、２つの維持電極２０２、２０３間を效率よく絶縁させるために、下部誘電体層２１５の厚さ（Ｚ）、または、上部誘電体層２１４の厚さを３０乃至４０μｍで形成させることが好ましい。また、本発明に係るプラズマディスプレイパネルに要求されるピクセル数を確保すると共に、２つの維持電極２０２、２０３間を效率よく絶縁させるために、隔壁２１２の上幅（Ｘ）と誘電体層２１４、２１５の厚さ間の比率が５：３乃至３：４になるようにすることが好ましくて、隔壁２１２の下幅（Ｙ）と誘電体層２１４、２１５の厚さ間の比率は８：３乃至３：２になるようにすることが好ましい。
【００３８】
本発明に係るプラズマディスプレイパネルの隔壁２１２は、無機成分と感光性化合物を含む有機成分からなる感光性材料を用いて形成されることが好ましい。隔壁２１２は、写真工程（フォトリソグラフィ、Photolithography）を用えてパターンが形成された後、塑性を行って無機物のパターンを作成する工程により形成される。前記写真工程（フォトリソグラフィ、Photolithography）はパターンが形成されたマスクを介して特定の波長を持っている光を感光性材料に露光させることによって、光化学反応を起こしパターンを形成するものである。
【００３９】
隔壁２１２を形成するための感光性材料は、ガラス粒子を６０重量％以上含む無機成分と感光性化合物を含む有機成分を含む感光性材料を用いて形成され、前記無機成分の平均屈折率（Ｎ１）と前記有機成分の平均屈折率（Ｎ２）との差は−０．１乃至０．２の範囲を有することが好ましい。また、無機成分の平均屈折率（Ｎ１）は１．５乃至１．６５であることが好ましい。
【００４０】
感光性材料が前記したような比率及び平均屈折率を有する無機成分と感光性有機成分を含むようにすることによって、高精密度のパターンを有する小幅の隔壁を形成させることができる。
【００４１】
また、前記感光性材料は、５０乃至９６重量％の無機成分と５乃至５０重量％の有機成分を含むことが好ましい。前記感光性材料が前記のような比率の無機成分と感光性有機成分を含むようにすることによって、隔壁２１２の塑性の際、収縮率及び形状変化を減少させることができ、それによって、小幅の隔壁を容易に形成させることができる。
【００４２】
感光性材料に含まれる無機成分として、ガラス、アルミナ、コーディライト、金、白金、銀、同、ニッケル、パラジウム、タングステン、酸化ルテニウムなどの無機成分が幅広く使われることができ、より好ましくは、絶縁体であるケイ素酸化物、ホウ素酸化物、または、アルミニウム酸化物を必須成分とするガラスまたはセラミックスが使われる。
【００４３】
無機成分は、前記感光性有機化合物の光化学反応を促進するために、光触媒剤、例えば酸化チタニウム（ＴｉＯ２）を含むことが好ましい。
【００４４】
無機成分に含まれるガラス粒子は、酸化リチウム、酸化ナトリウム、酸化カリウムのうち、少なくとも１つを全体３乃至２０重量％の量で含むことが好ましい。前記のようなガラス粒子を使用する場合、前記無機成分の熱軟化温度、熱膨張係数のコントロールが容易であり、有機成分との平均屈折率を０．１以内に小さくすることに容易である。ガラス粒子は酸化リチウムまたは酸化カリウムを含み、感光性材料の安全性を高め、無機成分の屈折率を減少させることがより好ましい。
【００４５】
ガラス粒子は、酸化ビズマス（bismuth）、酸化鉛のうち、少なくとも１つを全体５乃至５０重量％の割合で含むことが好ましくて、それによって、ガラス基板である下部基板２１１上にパターン加工できる温度特性を有する感光性隔壁材料を得ることができ、感光性材料のポート寿命を増加させることができる。
【００４６】
なお、ガラス粒子は、酸化ビズマス（bismuth）、酸化鉛のうち、少なくとも１つを５乃至３０重量％含み、酸化リチウム、酸化ナトリウム及び酸化カリウムのうち、少なくとも１つを３乃至１５重量％含むことがより好ましい。前記のようなガラス粒子を用いることによって、感光性材料の熱膨張係数が目的とする値から外れて ガラス基板とのミスマッチ（mismatch）が生じることを防止することができ、熱軟化点を減少させることができる。
【００４７】
前記感光性隔壁材料は、鉛（Ｐｂ）を使用しなかったり、使用してもプラズマディスプレイパネルの総重量の０．１重量％または１０００ＰＰＭ（Parts Per Million）以下に鉛（Ｐｂ）が少なく含まれるようにすることが好ましい。
【００４８】
ここで、鉛成分の全体含有量を１０００ＰＰＭ以下にする場合は、プラズマディスプレイパネルの重量対比鉛の含有量が１０００ＰＰＭ以下になるようにすることができる。
【００４９】
または、プラズマディスプレイパネルの特定の構成要素での鉛成分の含有量を１０００ＰＰＭ以下にすることも可能である。例えば、隔壁の鉛成分、誘電体層の鉛成分または電極での鉛成分の含有量を各々の構成要素（隔壁、誘電体層及び電極）の重量対応１０００ＰＰＭ以下になるようにすることができる。
【００５０】
また、プラズマディスプレイパネルの隔壁、誘電体層、電極、蛍光体層などの全ての構成要素の鉛成分の含有量をプラズマディスプレイパネルの重量対比各々１０００ＰＰＭ以下にすることも可能である。このように、鉛成分の全体含有量を１０００ＰＰＭ以下に設定する理由は、鉛成分が人体に悪影響を及ぼすことができるためである。
【００５１】
有機成分は、感光性単位体（monomer）、感光性小重合体（oligomer）、または、感光性重合体（polymer）を含む感光性成分を含み、好ましくはバインダー（binder）、光重合開始剤、紫外線吸収剤、増減剤、増減調剤、重合禁止剤、可塑剤、増粘剤、有機溶媒、酸化防止剤、分散剤、有機または無機の沈澱防止剤、または、レーベリング剤などの添加剤成分を更に含む。
【００５２】
感光性成分として、光不可溶化用、または、光可溶化用が全て利用可能である。光不可溶化用として、分子内に不飽和基などを１つ以上有する官能性の単位体（monomer）、小重合体（oligomer）または重合体（polymer）を含んだり、芳香族ジアゾ（diazo）化合物、芳香族アジド（azide）化合物、有機ハロゲン（halogen）化合物などの感光性化合物を含んだり、ジアゾ系アミン（amine）とホルムアルデヒド（formaldehyde）の縮合物であるジアゾ樹脂などが感光性成分として利用可能である。
【００５３】
また、光可溶化用としては、ジアゾ化合物の無機塩、有機酸との複合体またはキノンジアゾ類を含んだり、キノン（quinone）ジアゾ類を適当なポリマーバインダーに縮合させたフェノール、ノボラック樹脂のナフトキノン−１、２−デアジド−５−スルホン酸エステールなどが利用可能である。
【００５４】
図４はプラズマディスプレイパネルの電極配置に対する一実施形態を示すものであって、プラズマディスプレイパネルを構成する複数の放電セルは、図４に示すように、マトリックス形態で配置されることが好ましい。複数の放電セルは各々スキャン電極ライン（Ｙ１乃至Ｙｍ）、サステイン電極ライン（Ｚ１乃至Ｚｍ）及びアドレス電極ライン（Ｘ１乃至Ｘｎ）の交差部に設けられる。スキャン電極ライン（Ｙ１乃至Ｙｍ）は順次に駆動され、サステイン電極ライン（Ｚ１乃至Ｚｍ）は共通的に駆動される。アドレス電極ライン（Ｘ１乃至Ｘｎ）は奇数番目ラインと偶数番目ラインに分割されて駆動する。
【００５５】
図４に図示された電極配置は、本発明に係るプラズマパネルの電極配置に対する一実施形態に過ぎないので、本発明は図４に図示されたプラズマディスプレイパネルの電極配置及び駆動方式に限るのではない。例えば、前記スキャン電極ライン（Ｙ１乃至Ｙｍ）のうち、２つのスキャン電極ラインが同時に駆動されるデュアルスキャン（dual scan）方式も可能である。
【００５６】
図５は本発明に係るプラズマディスプレイパネルの維持電極構造に対する第１実施形態を断面図として図示したものであって、図２に図示されたプラズマディスプレイパネルのうち、１つの放電セル内に形成される維持電極対２０２、２０３の配置構造のみを簡略に図示した。
【００５７】
図５に示すように、本発明の第１実施形態に係る維持電極２０２、２０３は基板上に放電セルの中心を基準に対称になるように対をなして形成される。維持電極の各々は放電セルを横切る少なくとも２つの電極ライン２０２ａ、２０２ｂ、２０３ａ、２０３ｂを含むライン部、前記放電セルの中心に最も近い電極ライン２０２ａ、２０３ａに連結され、前記放電セル内で放電セルの中心方向に突出する少なくとも１つの突出電極２０２ｃ、２０３ｃを含む突出部からなる。また、図３に示すように、前記維持電極２０２、２０３の各々は前記２つの電極ライン２０２ａと２０２ｂ、２０３ａと２０３ｂを連結する１つのブリッジ電極２０２ｄ、２０３ｄを更に含むことが好ましい。
【００５８】
電極ライン２０２ａ、２０２ｂ、２０３ａ、２０３ｂは、放電セルを横切り、プラズマディスプレイパネルの一方向に延びる。本発明の第１実施形態に係る電極ラインは開口率を向上させるために幅を狭く形成する。また、放電拡散効率を向上させるために、複数個の電極ライン２０２ａ、２０２ｂ、２０３ａ、２０３ｂを使用し、かつ、開口率を考慮して電極ラインの個数を決定することが好ましい。
【００５９】
突出電極２０２ｃ、２０３ｃは、１つの放電セル内で放電セルの中心に最も近い電極ライン２０２ａ、２０３ａに連結され、放電セルの中心方向に突出することが好ましい。突出電極２０２ｃ、２０３ｃは、プラズマディスプレイパネル駆動の際、放電開始電圧を低める。電極ライン２０２ａ、２０３ａ間の距離（ｃ）により放電開始電圧が増加するため、本発明の第１実施形態では電極ライン２０２ａ、２０３ａの各々に連結される突出電極２０２ｃ、２０３ｃを備える。近くに形成された突出電極２０２ｃ、２０３ｃ間には低い放電開始電圧にも放電が開始されるので、プラズマディスプレイパネルの放電開始電圧を低めることができる。ここで、放電開始電圧とは、維持電極対２０２、２０３のうち、少なくともいずれか１つの電極にパルスを供給する際、放電が始まる電圧レベルをいう。
【００６０】
このような突出電極２０２ｃ、２０３ｃは、その大きさが非常に小さいため、製造工程の公差により実質的に突出電極２０２ｃ、２０３ｃの電極ライン２０２ａ、２０３ａと連結される部分の幅（Ｗ１）が突出電極の端部の幅（Ｗ２）より広く形成されることができ、必要によってその端部の幅（Ｗ２）をより広くすることもできる。
【００６１】
維持電極対２０３、２０２の各々を構成する隣接した２つの電極ライン間の間隔、即ち２０３ａと２０３ｂとの間の間隔、または、２０２ａと２０２ｂとの間の間隔は８０乃至１２０μｍであることが好ましい。前記隣接した２つの電極ライン間の間隔が前記のような値を有する場合、プラズマディスプレイパネルの開口率を十分に確保してディスプレイ映像の輝度を増加させることができ、放電空間内での放電拡散効率を増加させることができる。
【００６２】
突出電極２０２ｃ、２０３ｃの幅（Ｗ１）は３５乃至４５μｍであることが好ましい。突出電極２０２ｃ、２０３ｃの幅が前記のような値を有する場合、プラズマディスプレイパネルの開口率が小さくて、ディスプレイ装置の全面に反射されて出る光が前記突出電極２０２ｃ、２０３ｃにより塞がって映像の輝度が減少することが防止できる。
【００６３】
また、突出電極２０２ｃ、２０３ｃ間の間隔（ａ）は１５乃至１６５μｍであることが好ましい。突出電極２０２ｃ、２０３ｃ間の間隔（ａ）が前記のような値を有する場合、突出電極２０２ｃ、２０３ｃ間に放電がしきい値以上に過発生して電極の寿命が短縮されることを防止することができ、プラズマディスプレイパネル駆動に適切な放電開始電圧を有することになる。
【００６４】
ブリッジ電極２０２ｄ、２０３ｄは、維持電極２０２、２０３の各々を構成する２つの電極ライン２０２ａと２０２ｂ、２０３ａと２０３ｂを連結する。ブリッジ電極２０２ｄ、２０３ｄは突出電極２０２ｃ、２０３ｃを通じて開始された放電が放電セルの中心から遠い電極ライン２０２ｂ、２０３ｂまで容易に拡散されるように助ける。
【００６５】
このように、本発明の第１実施形態に係る電極構造は、電極ラインの個数を提案することによって、開口率を向上させることができる。また、突出電極２０２ｃ、２０３ｃを形成することによって、放電開始電圧を低めることができる。また、ブリッジ電極２０２ｄ、２０３ｄと放電セルの中心から遠い電極ライン２０２ｂ、２０３ｂにより放電拡散効率を増加させて、全体的にプラズマディスプレイパネルの発光効率を向上させることができる。即ち、従来のプラズマディスプレイパネルの明るさと等しいか、またはより明るくなることができるので、ＩＴＯ透明電極を使用しないことが可能である。
【００６６】
図６は本発明に係るプラズマディスプレイパネルの維持電極構造に対する第２実施形態を断面図として図示したものであって、図２に図示されたプラズマディスプレイパネルのうち、１つの放電セル内に形成される維持電極対４０２、４０３の配置構造のみを簡略に図示したものである。
【００６７】
図６に示すように、維持電極４０２、４０３の各々は、放電セルを横切る少なくとも２つの電極ライン４０２ａ、４０２ｂ、４０３ａ、４０３ｂと、放電セルの中心に最も近い電極ライン４０２ａ、４０３ａに連結され、放電セル内から放電セルの中心方向に突出する第１突出電極４０２ｃ、４０３ｃ、前記２つの電極ライン４０２ａと４０２ｂ、４０３ａと４０３ｂを連結するブリッジ電極４０２ｄ、４０３ｄ及び放電セルの中心から最も遠い電極ライン４０２ｂ、４０３ｂに連結され、放電セル内から放電セルの中心の反対方向に突出する第２突出電極４０２ｅ、４０３ｅを含む。
【００６８】
電極ライン４０２ａ、４０２ｂ、４０３ａ、４０３ｂは放電セルを横切り、プラズマディスプレイパネルの一方向に延びる。本発明の第２実施形態に係る維持電極ラインは、開口率を向上させるために幅を狭く形成することが好ましい。好ましくは、電極ラインの幅（Ｗ１）は２０μｍ以上７０μｍ以下にして開口率を向上させると共に、放電が円滑に生じるようにすることが好ましい。
【００６９】
図６に示すように、放電セルの中心と近い電極ライン４０２ａ、４０３ａは、第１突出電極４０２ｃ、４０３ｃと連結され、放電セルの中心と近い電極ライン４０２ａ、４０３ａは放電が開始されると共に、放電拡散が始まる経路を形成する。放電セルの中心と遠い電極ライン４０２ｂ、４０３ｂは第２突出電極４０２ｅ、４０３ｅと連結される。放電セルの中心と遠い電極ライン４０２ｂ、４０３ｂは放電セル周辺部まで放電を拡散する役割をする。
【００７０】
第１突出電極４０２ｃ、４０３ｃは１つの放電セル内で放電セルの中心に近い電極ライン４０２ａ、４０３ａに連結され、放電セルの中心方向に突出する。好ましくは、第１突出電極は電極ライン４０２ａ、４０３ａの中心に形成される。第１突出電極４０２ｃ、４０３ｃは互いに対応して電極ライン中心に形成されることによって、プラズマディスプレイパネルの放電開始電圧をより效果的に低めることができる。
【００７１】
突出電極４０２ｃ、４０３ｃの幅（Ｗ１）は３５乃至４５μｍであることが好ましくて、突出電極４０２ｃ、４０３ｃ間の間隔（ａ）は１５乃至１６５μｍであることが好ましい。突出電極４０２ｃ、４０３ｃの幅及び間隔の上限値と下限値の臨界的意味は、図５を参考にして説明したことと同一であるので省略する。
【００７２】
ブリッジ電極４０２ｄ、４０３ｄは、維持電極４０２、４０３の各々を構成する２つの電極ライン４０２ａと４０２ｂ、４０３ａと４０３ｂを連結する。ブリッジ電極４０２ｄ、４０３ｄは突出電極を通じて開始された放電が放電セルの中心と遠い電極ライン４０２ｂ、４０３ｂまで容易に広がるように助ける。ここで、ブリッジ電極４０２ｄ、４０３ｄは放電セル内に位置しているが、その必要によって放電セルを区切る隔壁４１２上に形成されることも可能である。
【００７３】
これによって、本発明に係るプラズマディスプレイパネルの維持電極構造に対する第２実施形態では、電極ライン４０２ｂ、４０３ｂと隔壁４１２との間の空間にも放電を拡散させることができる。それによって、放電拡散効率を増加させることによって、プラズマディスプレイパネルの発光効率を向上させることができる。
【００７４】
また、第２突出電極４０２ｅ、４０３ｅは、放電セルの中心に遠い電極ライン４０２ｂ、４０３ｂに連結され、放電セルの中心方向の反対方向に突出する。第２突出電極４０２ｅ、４０３ｅの長さは５０乃至１００μｍであることが好ましくて、前記のような値を有することにより、放電セルの中心から遠い放電空間まで放電が效果的に広がるようにすることができる。
【００７５】
図６に示すように、第２突出電極４０２ｅ、４０３ｅは、放電セルを区切る隔壁４１２まで延びることができる。また、開口率を他の部分で十分に補償受けることができれば、放電拡散効率をより向上させるために、隔壁４１２上に一部延長することも可能である。但し、第２突出電極４０２ｅ、４０３ｅが隔壁４１２まで延びない場合、第２突出電極４０２ｅ、４０３ｅとそれに隣接した隔壁４１２との間の間隔は７０μｍ以下であることが好ましい。第２突出電極４０２ｅ、４０３ｅと隔壁４１２との間の間隔が７０μｍ以下である際、放電セルの中心から遠い放電空間まで放電が效果的に広がることができる。
【００７６】
本発明の維持電極構造に対する第２実施形態では、第２突出電極４０２ｅ、４０３ｅを電極ライン４０２ｂ、４０３ｂの中心に形成して放電セルの周辺部に放電を均等に拡散させるようにすることが好ましい。
【００７７】
一方、本発明の第２実施形態では、放電セルを区切る隔壁のうち、第２突出電極４０２ｅ、４０３ｅが延びる方向に位置する隔壁の幅（Ｗｂ）を２００μｍ以下に形成することが好ましい。また、外部光を吸収して名実コントラストを確保し、放出される放電光が隣接放電セルに広がって表示されることを防止するためのブラックマトリックス（図示していない）を前記隔壁４１２上に形成させることが好ましい。隔壁４１２の幅を２００μｍ以下に提案することによって、放電セルの面積が増加する。これによって、発光効率を増加させることができ、第２突出電極などにより開口率が低減することを補償することができる。好ましくは、第２突出電極が延びる方向に位置する隔壁の幅（Ｗｂ）は９０乃至１００μｍにして最適の発光効率を得ることができる。
【００７８】
図７は、本発明に係るプラズマディスプレイパネルの維持電極構造に対する第３実施形態を示す断面図である。図７に図示された維持電極構造のうち、図６に記述された同一な内容に対する説明は省略する。
【００７９】
図７に示すように、本発明に係る維持電極構造に対する第３実施形態では、維持電極６０２、６０３の各々に２つの第１突出電極６０２ａ、６０３ａが形成される。第１突出電極６０２ａ、６０３ａは放電セルの中心に近い電極ラインに連結され、放電セルの中心方向に突出する。好ましくは、第１突出電極６０２ａ、６０３ａの各々は、電極ラインの中心を基準に互いに対称に形成される。
【００８０】
第１突出電極６０２ａ、６０３ａの幅は３５乃至４５μｍであることが好ましい。前記突出電極幅の上限値と下限値の臨界的意味は図５を参考にして説明したことと同一であるので省略する。
【００８１】
１つの電極ラインから突出した２つの第１突出電極間の間隔（ｄ１、ｄ２）は、プラズマディスプレイパネルが４２インチ（inch）の大きさ及びＶＧＡの解像度を有する場合には５０乃至１００μｍであり、プラズマディスプレイパネルが４２インチ（inch）の大きさ及びＸＧＡの解像度を有する場合には３０乃至８０μｍであり、プラズマディスプレイパネルが５０インチ（inch）の大きさ及びＸＧＡの解像度を有する場合には４０乃至９０μｍであることが好ましい。
【００８２】
第１突出電極の間隔（ｄ１、ｄ２）が前記のような範囲を有する際、ディスプレイ装置に要求される映像の輝度が具現できる開口率の確保が可能であり、第１突出電極が隔壁にあまりに近接して無効電力が増加することによって、ディスプレイに消耗される電力が限界値以上に増加することを防止することができる。
【００８３】
維持電極６０２、６０３の各々に２つの第１突出電極６０２ａ、６０３ａを形成することによって、放電セル中心での電極面積が増加する。これによって、放電が開始される前には放電セル内に空間電荷が多く形成されて放電開始電圧がより低くなり、放電速度が速くなる。併せて、放電が開始された後には壁電荷量が増加して輝度が上昇し、放電が全体放電セルに均一に広がる。
【００８４】
また、第１突出電極６０２ａ、６０３ａ間の間隔（ａ１、ａ２）、即ち電極ライン６０２、６０３と交差する方向への２つの突出電極間の間隔（ａ１、ａ２）は１５乃至１６５μｍであることが好ましい。突出電極間隔の上限値と下限値の臨界的意味は、図５を参考にして説明したことと同一であるので省略する。
【００８５】
図８は、本発明に係るプラズマディスプレイパネルの維持電極構造に対する第４実施形態を示す断面図である。図８に図示された電極構造のうち、図６及び図７に記述された同一な内容に対する説明は省略する。
【００８６】
図８に示すように、本発明に係る維持電極構造に対する第４実施形態では、維持電極７０２、７０３の各々は３つの第１突出電極７０２ａ、７０３ａが形成される。
【００８７】
第１突出電極７０２ａ、７０３ａは、電極ラインのうち、放電セルの中心に近い電極ラインに連結され、放電セルの中心方向に突出する。好ましくは、いずれか１つの第１突出電極は電極ラインの中心に形成され、残りの２つの第１突出電極は電極ラインの中間を基準にして互いに対称に形成されることが好ましい。維持電極７０２、７０３の各々に３つの第１突出電極７０２ａ、７０３ａを形成することによって、図６と図７の場合より放電開始電圧がより低くなり、放電速度もより速くなる。併せて、放電が開始された後には輝度がより上昇し、放電が全体放電セルに一層均一に広がる。
【００８８】
上記のように、第１突出電極の個数を増加させることによって、放電セルの中心での電極面積が増加して放電開始電圧が低くなり、輝度が増加する。一方、放電セルの中心から最も強い放電が生じ、最も明るい放電光が放出される点を考慮すべきである。即ち、第１突出電極の個数が増加するほど放電セルの中心から放出される光を遮断することによって、放出される光が顕著に減少する点と共に、放電開始電圧と輝度効率を同時に考慮して、最善の個数を選択して維持電極の構造を設計することが好ましい。
【００８９】
第１突出電極７０２ａ、７０３ａの幅は３５乃至４５μｍであることが好ましいのであり、第１突出電極７０２ａ、７０３ａ間の間隔（ａ１、ａ２、ａ３）は１５乃至１６５μｍであることが好ましい。第１突出電極７０２ａ、７０３ａの幅及び間隔に対する前記上限値と下限値の臨界的意味は、図５を参考にして説明したことと同一であるので省略する。
【００９０】
図９は本発明に係るプラズマディスプレイパネルの維持電極構造に対する第５実施形態を断面図として図示したものであって、維持電極８００、８１０の各々は放電セルを横切る３つの電極ライン８００ａ、８００ｂ、８００ｃ、及び、電極ライン８１０ａ、８１０ｂ、８１０ｃをそれぞれ含む。電極ラインは放電セルを横切ってプラズマディスプレイパネルの一方向に延びる。前記電極ラインは開口率の向上のために幅が狭く形成され、好ましくは２０乃至７０μｍの幅を有するようにして開口率を向上させると共に、放電が円滑に生じるようにする。
【００９１】
維持電極対の電極ライン８００ａ、８００ｂ、８００ｃ、及び、電極ライン８１０ａ、８１０ｂ、８１０ｃの厚さは、３乃至７μｍであることがが好ましいのであり、各々の維持電極を構成する３つの電極ライン間の間隔（ａ１、ａ２）は互いに同一または相異することができ、電極ラインの幅（ｂ１、ｂ２、ｂ３）も互いに同一または相異することができる。電極ライン厚さの上限値と下限値の臨界的意味は、図２を参考にして説明したことと同一であるので省略する。
【００９２】
図１０は本発明に係るプラズマディスプレイパネルの維持電極構造に対する第６実施形態を断面図として図示したものであって、維持電極９００、９１０の各々は放電セルを横切る４個の電極ライン９００ａ、９００ｂ、９００ｃ、９００ｄ、及び、電極ライン９１０ａ、９１０ｂ、９１０ｃ、９１０ｄをそれぞれ含む。前記電極ラインは、放電セルを横切ってプラズマディスプレイパネルの一方向に延びる。電極ラインは開口率の向上のために幅が狭く形成され、好ましくは２０乃至７０μｍの幅を有するようにして開口率を向上させると共に、放電が円滑に生じるようにする。
【００９３】
維持電極対９００、９１０の電極ライン９００ａ、９００ｂ、９００ｃ、９００ｄ、及び、電極ライン９１０ａ、９１０ｂ、９１０ｃ、９１０ｄの厚さは３乃至７μｍであることが好ましい。電極ラインの厚さの上限値と下限値の臨界的意味は、図２を参考にして説明したことと同一であるので省略する。
【００９４】
各々の維持電極を構成する４つの電極ライン間の間隔（ｃ１、ｃ２、ｃ３）は、互いに同一または相異することができ、電極ラインの幅（ｄ１、ｄ２、ｄ３、ｄ４）も互いに同一または相異することができる。
【００９５】
図１１は本発明に係るプラズマディスプレイパネルの維持電極構造に対する第７実施形態を断面図として図示したものであって、維持電極１０００、１０１０の各々は放電セルを横切る４個の電極ライン１０００ａ、１０００ｂ、１０００ｃ、１０００ｄ及び１０１０ａ、１０１０ｂ、１０１０ｃ、１０１０ｄをそれぞれ含む。電極ラインは放電セルを横切ってプラズマディスプレイパネルの一方向に延びる。
【００９６】
維持電極対の電極ライン１０００ａ、１０００ｂ、１０００ｃ、１０００ｄ、及び、電極ライン１０１０ａ、１０１０ｂ、１０１０ｃ、１０１０ｄの厚さは３乃至７μｍであることが好ましい。電極ライン厚さの上限値と下限値の臨界的意味は、図２を参考にして説明したことと同一であるので省略する。
【００９７】
ブリッジ電極１０２０、１０３０、１０４０、１０５０、１０６０、１０７０は、各々２つの電極ラインを連結する。ブリッジ電極１０２０、１０３０、１０４０、１０５０、１０６０、１０７０は、開始された放電が放電セルの中心と遠い電極ラインまで容易に広がるようにする。図１１に示すように、ブリッジ電極１０２０、１０３０、１０４０、１０５０、１０６０、１０７０の位置は互いに一致しないこともでき、いずれか１つのブリッジ電極１０４０は隔壁１０８０上に位置することもできる。
【００９８】
図１２は、本発明に係るプラズマディスプレイパネルの維持電極構造に対する第８実施形態を断面図として図示したものであって、図１１に図示された場合とは異なり、電極ラインを連結するブリッジ電極が同一な位置に形成されて、維持電極１１００、１１１０の各々に対して４個の電極ライン１１００ａ、１１００ｂ、１１００ｃ、１１００ｄ及び１１１０ａ、１１１０ｂ、１１１０ｃ、１１１０ｄをそれぞれ連結する１つのブリッジ電極１１２０、１１３０を形成させたものである。
【００９９】
維持電極対の電極ライン１１００ａ、１１００ｂ、１１００ｃ、１１００ｄ、及び、電極ライン１１１０ａ、１１１０ｂ、１１１０ｃ、１１１０ｄの厚さは３乃至７μｍであることが好ましい。電極ラインの厚さの上限値と下限値の臨界的意味は、図２を参考にして説明したことと同一であるので省略する。
【０１００】
図１３は本発明に係るプラズマディスプレイパネルの維持電極構造に対する第９実施形態を断面図として図示したものであって、電極ライン１２００、１２１０の各々に対して閉ループ（closed loop）を含む形態の突出電極１２２０、１２３０を形成させたものである。図１３に図示されたような閉ループを含む突出電極１２２０、１２３０を通じて、放電開始電圧を低めると共に、開口率を向上させることができる。突出電極及び閉ループの形態は多様に変形可能である。
【０１０１】
維持電極対の電極ライン１２００、１２１０の厚さは３乃至７μｍであることが好ましい。電極ラインの厚さの上限値と下限値の臨界的意味は、図２を参考にして説明したことと同一であるので省略する。
【０１０２】
突出電極１２２０、１２３０の線幅（Ｗ１、Ｗ２）は３５乃至４５μｍであることが好ましい。突出電極１２２０、１２３０の線幅（Ｗ１、Ｗ２）が前記のような値を有する場合、充分のパネルの開口率を確保してディスプレイ装置の全面に反射されて出る光が前記突出電極により塞がって映像の輝度が減少することを防止することができる。
【０１０３】
また、２つの突出電極１２２０、１２３０間の間隔は１５乃至１６５μｍであることが好ましい。突出電極間隔の上限値と下限値の臨界的意味は、図５を参考にして説明したことと同一であるので省略する。
【０１０４】
図１４は本発明に係るプラズマディスプレイパネルの維持電極構造に対する第１０実施形態を断面図として図示したものであって、電極ライン１３００、１３１０の各々に対して四角形態の閉ループを含む突出電極１３２０、１３３０を形成させたものである。
【０１０５】
維持電極対の電極ライン１３００、１３１０の厚さは３乃至７μｍであることが好ましい。電極ラインの厚さの上限値と下限値の臨界的意味は、図２を参考にして説明したことと同一であるので省略する。
【０１０６】
突出電極１３２０、１３３０の線幅（Ｗ１、Ｗ２）は３５乃至４５μｍであることが好ましい。前記突出電極１３２０、１３３０の線幅（Ｗ１、Ｗ２）の上限値と下限値の臨界的意味は、図１２を参考にして説明したことと同一であるので省略する。
【０１０７】
また、２突出電極１３２０、１３３０間の間隔は１５乃至１６５μｍであることが好ましい。突出電極間隔の上限値と下限値の臨界的意味は、図５を参考にして説明したことと同一であるので省略する。
【０１０８】
図１５Ａ及び図１５Ｂは本発明に係るプラズマディスプレイパネルの維持電極構造に対する第１１実施形態を断面図として図示したものであって、電極ライン１４００、１４１０の各々に対して放電セルの中心方向に突出した第１突出電極１４２０ａ、１４２０ｂ、及び、第１突出電極１４３０ａ、１４３０ｂと、前記放電セルの中心方向、または、その反対方向に突出した第２突出電極１４４０、１４５０（図１５Ａ）、又は、第２突出電極１４６０、１４７０（図１５Ｂ）を形成させたものである。
【０１０９】
図１５Ａに示すように、電極ライン１４００、１４１０の各々に対して放電セルの中心方向に突出した２つの第１突出電極１４２０ａ、１４２０ｂ、及び、第１突出電極１４３０ａ、１４３０ｂを形成させ、放電セル中心方向の反対方向に突出した１つの第２突出電極１４４０、１４５０を形成させることが好ましい。または、図１５Ｂに示すように、第２突出電極１４６０、１４７０は放電セルの中心方向に突出することができる。
【０１１０】
維持電極対の電極ライン１４００、１４１０の厚さは、３乃至７μｍであることが好ましい。前記電極ライン厚さの上限値と下限値の臨界的意味は、図２を参考にして説明したことと同一であるので省略する。
【０１１１】
第１突出電極１４２０ａ、１４２０ｂ、１４３０ａ、１４３０ｂの幅は３５乃至４５μｍであることが好ましい。突出電極幅の上限値と下限値の臨界的意味は、図５を参考にして説明したことと同一であるので省略する。
【０１１２】
１つの電極ラインから突出した２つの第１突出電極間の間隔（ｄ１、ｄ２）は、プラズマディスプレイパネルが４２インチ（inch）の大きさ及びＶＧＡの解像度を有する場合には５０乃至１００μｍであり、プラズマディスプレイパネルが４２インチ（inch）の大きさ及びＸＧＡの解像度を有する場合には５０乃至１００μｍであり、５０インチ（inch）の大きさ及びＸＧＡの解像度を有する場合には４０乃至９０μｍであることが好ましい。第１突出電極間の間隔（ｄ１、ｄ２）の上限値と下限値の臨界的意味は図７を参考にして説明したことと同一であるので省略する。
【０１１３】
更に別の第１突出電極間の間隔、即ち１４２０ａと１４３０ｂとの間の間隔（ａ１）または１４２０ａと１４３０ｂとの間の間隔（ａ２）は１５乃至１６５μｍであることが好ましい。突出電極間隔の上限値と下限値の臨界的意味は、図５を参考にして説明したことと同一であるので省略する。
【０１１４】
図１６は前記したような構造を有する本発明に係るプラズマディスプレイパネルに対し、１つのフレーム（frame）を複数のサブフィールドに分けて時分割駆動させる方法に対する一実施形態をタイミング図として図示したものである。単位フレームは時分割階調表示を実現するために所定個数、例えば８個のサブフィールド（ＳＦ１、・・・、ＳＦ８）に分割されることができる。また、各サブフィールド（ＳＦ１、・・・ＳＦ８）は、リセット区間（図示していない）と、アドレス区間（Ａ１、・・・、Ａ８）、及びサステイン区間（Ｓ１、・・・、Ｓ８）に分割される。ここで、本発明の一実施形態によれば、リセット区間は複数個のサブフィールドのうち、少なくとも１つに省略できる。例えば、リセット区間は最初のサブフィールドのみで存在したり、最初のサブフィールドと全体サブフィールドの中で、中間程度のサブフィールドのみで存在することができる。
【０１１５】
各アドレス区間（Ａ１、・・・、Ａ８）では、アドレス電極（Ｘ）に表示データ信号が印加され、各スキャン電極（Ｙ）に相応するスキャンパルスが順次に印加される。
【０１１６】
各サステイン区間（Ｓ１、・・・、Ｓ８）では、スキャン電極（Ｙ）とサステイン電極（Ｚ）にサステインパルスが交互に印加され、アドレス区間（Ａ１、・・・、Ａ８）で壁電荷が形成された放電セルでサステイン放電を起こす。
【０１１７】
プラズマディスプレイパネルの輝度は、単位フレームで占めるサステイン放電区間（Ｓ１、・・・、Ｓ８）内のサステイン放電パルス個数に比例する。１つの画像を形成する１つのフレームが、８個のサブフィールドと２５６階調で表現される場合に、各サブフィールドには順次に１、２、４、８、１６、３２、６４、１２８の割合で互いに異なるサステインパルスの数が割り当てられることができる。１３３階調の輝度を得るためには、サブフィールド１区間、サブフィールド３区間及びサブフィールド８区間の間、セルをアドレッシングしてサステイン放電すればよい。
【０１１８】
各サブフィールドに割り当てられるサステイン放電数は、ＡＰＣ（Automatic Power Control）段階によるサブフィールドの加重値によって可変的に決定されることができる。即ち、図１６では１フレームを８個のサブフィールドに分割する場合を例として説明したが、本発明はそれに限るのではなく、１フレームを形成するサブフィールドの数を設計仕様によって多様に変形することができる。例えば、１つのフレームを１２または１６サブフィールドなどのように、８サブフィールド以上または以下に分割してプラズマディスプレイパネルを駆動させることができる。
【０１１９】
また、各サブフィールドに割り当てられるサステイン放電数はガンマ特性やパネル特性を考慮して多様に変形することが可能である。例えば、サブフィールド４に割り当てられた階調度を８から６に低め、サブフィールド６に割り当てられた階調度を３２から３４に高めることができる。
【０１２０】
図１７は、分割されたサブフィールドに対し、プラズマディスプレイパネルを駆動させるための駆動信号に対する一実施形態をタイミング図として図示したものである。
【０１２１】
まず、スキャン電極（Ｙ）上に正極性壁電荷を形成し、サステイン電極（Ｚ）上に負極性壁電荷を形成するためのプリリセット（prereset）区間が存在し、この後、各サブフィールドはプリリセット区間により形成された壁電荷分布を用いて全画面の放電セルを初期化するためのリセット（reset）区間、放電セルを選択するためのアドレス（address）区間及び選択された放電セルの放電を維持させるためのサステイン（sustain）区間を含む。
【０１２２】
リセット区間はセットアップ（setup）区間及びセットダウン（setdown）区間からなり、前記セットアップ区間では全てのスキャン電極に上りランプ波形（Ramp‐up）が同時印加されて、全ての放電セルで微細放電が発生され、これによって、壁電荷が生成される。前記セットダウン区間には前記上りランプ波形（Ramp‐up）のピーク電圧より低い正極性電圧で下降する下りランプ波形（Ramp‐down）が全てのスキャン電極（Ｙ）に同時に印加されて、全ての放電セルで消去放電が発生され、これによって、セットアップ放電により生成された壁電荷及び空間電荷のうち、不要電荷を消去させる。
【０１２３】
アドレス区間にはスキャン電極に負極性のスキャン信号（scan）が順次に印加され、これと共に前記アドレス電極（Ｘ）に正極性のデータ信号（data）が印加される。このような前記スキャン信号（scan）とデータ信号（data）との間の電圧差と前記リセット区間の間に生成された壁電圧とによりアドレス放電が発生されてセルが選択される。一方、前記セットダウン区間とアドレス区間の間に前記サステイン電極にはサステイン電圧（Ｖｓ）を維持する信号が印加される。
【０１２４】
前記サステイン区間にはスキャン電極とサステイン電極に交互にサステインパルスが印加されて、スキャン電極とサステイン電極との間に面放電形態でサステイン放電が発生される。
【０１２５】
図１７に図示された駆動波形は、本発明に係るプラズマディスプレイパネルを駆動させるための信号に対する一実施形態であって、前記図１７に図示された波形により本発明が限るのではない。例えば、前記プリリセット区間が省略されることができ、図１７に図示された駆動信号の極性及び電圧レベルは必要によって変更可能であり、前記サステイン放電が完了した後に壁電荷消去のための消去信号がサステイン電極に印加されることができる。また、前記サステイン信号がスキャン電極（Ｙ）とサステイン（Ｚ）電極のうち、いずれか１つのみに印加されてサステイン放電を起こすシングルサステイン（single sustain）駆動も可能である。
【０１２６】
以上、本発明の好ましい実施形態に対して詳述したが、本発明が属する技術分野で通常の知識を有する者であれば、添付の請求範囲に定義された本発明の精神及び範囲から外れない、かつ、本発明を種々なる変形または変更して実施できることが分かる。したがって、本発明の今後の実施形態の変更は本発明の技術から外れることができないはずである。
【図面の簡単な説明】
【０１２７】
【図１】プラズマディスプレイ装置に備えられる一般的なパネル（panel）の構造を説明する図である。
【図２】本発明に係るプラズマディスプレイパネル構造に対する一実施形態を示す斜視図である。
【図３】本発明に係る隔壁が形成された下板パネル構造に対する一実施形態を示す概略断面図である。
【図４】プラズマディスプレイパネルの電極配置に対する一実施形態を示す断面図である。
【図５】維持電極構造に対する第１実施形態を示す断面図である。
【図６】維持電極構造に対する第２実施形態を示す断面図である。
【図７】維持電極構造に対する第３実施形態を示す断面図である。
【図８】維持電極構造に対する第４実施形態を示す断面図である。
【図９】維持電極構造に対する第５実施形態を示す断面図である。
【図１０】維持電極構造に対する第６実施形態を示す断面図である。
【図１１】維持電極構造に対する第７実施形態を示す断面図である。
【図１２】維持電極構造に対する第８実施形態を示す断面図である。
【図１３】維持電極構造に対する第９実施形態を示す断面図である。
【図１４】維持電極構造に対する第１０実施形態を示す断面図である。
【図１５Ａ】維持電極構造に対する第１１実施形態を示す断面図である。
【図１５Ｂ】維持電極構造に対する第１１実施形態を示す断面図である。
【図１６】１つのフレーム（frame）を複数のサブフィールド（subfield）に分けてプラズマディスプレイパネルを時分割駆動させる方法に対する一実施形態を示すタイミング図である。
【図１７】プラズマディスプレイパネルを駆動させるための駆動信号に対する一実施形態を示すタイミング図である。
【符号の説明】
【０１２８】
１１、１０２、２０２    スキャン電極
１１ａ、１２ａ、１０２ａ、１０３ａ        透明電極
１２、１０３、２０３    サステイン電極
１００、２００    上部パネル
１０１、２１１    上部基板
１０２ｂ、１０３ｂ    バス電極
１０４、２０４、２１４    上部誘電体層
１０５    保護層
１１０、２１０    下部パネル
１１１、２１１    下部基板
１１２、２１２、４１２、１０８０    隔壁
１１３、２１３    アドレス電極
１１４、２１４    蛍光体
１１５、２１５    下部誘電体層
２０５    保護膜層
【図１】
2007329117.tif 000003
【図２】
2007329117.tif 000004
【図３】
2007329117.tif 000005
【図４】
2007329117.tif 000006
【図５】
2007329117.tif 000007
【図６】
2007329117.tif 000008
【図７】
2007329117.tif 000009
【図８】
2007329117.tif 000010
【図９】
2007329117.tif 000011
【図１０】
2007329117.tif 000012
【図１１】
2007329117.tif 000013
【図１２】
2007329117.tif 000014
【図１３】
2007329117.tif 000015
【図１４】
2007329117.tif 000016
【図１５Ａ】
2007329117.tif 000017
【図１５Ｂ】
2007329117.tif 000018
【図１６】
2007329117.tif 000019
【図１７】
2007329117.tif 000020